(57)【要約】【課題】  結婚式の披露宴会場では方形のテーブルは好まれず専ら円形のテーブルが用いられているが、円形のテーブルは大きさが一定であり、継ぎ足すことが不可能であり所望の座席数を確保することができなかった。そこで、本考案は、大きさを調節できる円形テーブルを提供することを課題とする。【解決手段】  曲率が同じ内縁と外縁を有する三日月形に形成された天板と、該天板を支持する脚とからなるテーブルユニット。天板にガラス窓を設けるとともに、脚を中空に形成し内部に照明具を配置したテーブルユニット。天板を折り畳み可能にし、脚を分解可能にしたテーブルユニット。曲率が同じ内縁と外縁を有する三日月形に形成された天板と、該天板を支持する脚とからなるテーブルユニット複数を、巴状に配列した宴席用テーブル。【選択図】        図１
0003103491.tif 000002
【実用新案登録請求の範囲】
【請求項１】
曲率が同じ内縁と外縁を有する三日月形に形成された天板と、該天板を支持する脚とからなるテーブルユニット。
【請求項２】
天板にガラス窓を設けるとともに、脚を中空に形成し内部に照明具を配置した請求項１記載のテーブルユニット。
【請求項３】
天板を折り畳み可能にし、脚を分解可能にした請求項１または２記載のテーブルユニット。
【請求項４】
曲率が同じ内縁と外縁を有する三日月形に形成された天板と、該天板を支持する脚とからなるテーブルユニット複数を、巴状に配列した宴席用テーブル。
【請求項５】
曲率が同じ内縁と外縁を有する三日月形に形成さするとともに窓を形成した天板と、中空に形成し内部に照明具を収納し、前記天板を支持する脚とからなるテーブルユニット複数を、巴状に配列した宴席用テーブル。
【請求項６】
曲率が同じ内縁と外縁を有する三日月形に形成さするとともに窓を形成し折り畳み可能な天板と、中空に形成し内部に照明具を収納し、前記天板を支持する分解可能な脚とからなるテーブルユニット複数を、巴状に配列した宴席用テーブル。
【考案の詳細な説明】
【技術分野】
【０００１】
本考案は、披露宴会場に代表される宴会場に用いるのに適したテーブルユニットおよび該ユニットを使用した宴席用テーブルに関する。
【背景技術】
【０００２】
会議場や宴会場では、出席人数や会場の広さに応じて方形のテーブルを継ぎ足して所望の座席数を確保していた。
【特許文献１】特開平１０−１１３２３３号公報
【考案の開示】
【考案が解決しようとする課題】
【０００３】
しかし、結婚式の披露宴会場では方形のテーブルは好まれず専ら円形のテーブルが用いられているが、円形のテーブルは大きさが一定であり、継ぎ足すことが不可能であり所望の座席数を確保することができなかった。
そこで、本考案は、大きさを調節できる円形テーブルを提供することを課題とする。
【課題を解決するための手段】
【０００４】
上記課題を解決するために本考案のテーブルユニットは、請求項１の考案は、曲率が同じ内縁と外縁を有する三日月形に形成された天板と、該天板を支持する脚とからなることを特徴とし、請求項２の考案は、請求項１の考案において、天板にガラス窓を設けるとともに、脚を中空に形成し内部に照明具を配置したことを特徴とし、さらに、請求項３の考案は、請求項１または２の考案において、天板を折り畳み可能にし、脚を分解可能にしたことを特徴とする。
【０００５】
また、上記課題を解決するために本考案の宴席用テーブルは、請求項４の考案は、曲率が同じ内縁と外縁を有する三日月形に形成された天板と、該天板を支持する脚とからなるテーブルユニット複数を、巴状に配列したことを特徴とし、請求項５の考案は、請求項４の考案において、曲率が同じ内縁と外縁を有する三日月形に形成さするとともに窓を形成した天板と、中空に形成し内部に照明具を収納し、前記天板を支持する脚とからなるテーブルユニット複数を、巴状に配列したことを特徴とし、請求項６の考案は、請求項４または５の考案において、曲率が同じ内縁と外縁を有する三日月形に形成さするとともに窓を形成し折り畳み可能な天板と、中空に形成し内部に照明具を収納し、前記天板を支持する分解可能な脚とからなるテーブルユニット複数を、巴状に配列したことを特徴とする。
【考案の効果】
【０００６】
ユニットテーブルを複数個組み合わせることにより所望の座席数を確保できる大きさのテーブルを構成することができる。
ユニットテーブルを花弁状に配置するので意匠的にも優れおり、配置した複数のテーブルユニットの中央部にできる空間部に装飾用テーブルを置いて花卉類等を飾ることができ、演出効果を上げることができる。
【考案を実施するための最良の形態】
【０００７】
曲率が同じ内縁と外縁を有する三日月形に形成された天板を備えたテーブルユニットを複数個巴状に組み合わせて宴席用テーブルを構成する。
【実施例】
【０００８】
本考案のテーブルユニットは、脚部２０と該脚部２０に着脱可能な天板部１０とで構成されており、その細部の構成を以下説明する。
【０００９】
天板部１０は、曲率が同じ内縁１２と外縁１３を有する三日月形に形成されるが、本実施例では、図１(a)に示すように、三日月形を中央部で上部で分割した天板片１１、１１を、図１(c)に示すように、分割した天板の当接面間に取り付けた蝶番１６により、表側が接触する状態に天板を二つ折り可能に形成してある。
一例として、中心を1300mmずらした半径1500mmの２つの円弧を備える三日月状に形成した。
また、分割した天板片１１、１１には、蝶番で接続された天板を拡げたとき、内縁１２に沿った三日月状の開口１４が形成されるように切り込みが設けられている。
この開口１４の内周縁には段差が設けられており、開口と同型のガラス板１７を、天板表面と面一状態で嵌め込むことができる。
なお、ガラスに代えて透光性の合成樹脂板を開口部に嵌め込んでも良い。
【００１０】
天板１１下面の開口１４の周囲には、脚部の照明具収納部の開口部側壁に嵌合する位置決め用凸条１５が設けられている。
なお、図４に示す例では、位置決め用凸条１５は、天板の凹曲面に沿った内側凸条１５aと開口の凸曲面に沿って点在した外側凸条１５b、１５cとで構成されている。
凸条１５aと１５bは中央で分断されており、２つの天板片は分断した部分で蝶番１６により接続し天板を二つ折りすることを可能にする。
また、凸条１５a〜１５ｃは受け入れ易いように前方（内縁側）に広がるように配列する。
【００１１】
脚部２０は、左右一対の中空状脚２１a、２１bで構成されている。
一方の中空脚２１aは、外面、内面とそれらの面を繋ぐ側面とで構成された断面形状が中途部で折れ曲がった角（つの）状の中空状脚と、テーブルを安定させるために中空状脚の外面に取り付けられた板状脚２２とで構成されている。
他方の脚部２１bは、一方の脚部２１aの側面を基準面とする面対称に構成されている。
なお、中空状脚２１a、２１b内面と側面とは直角に交差するように構成する。
【００１２】
中空状脚２１a、２１b内には照明具取付板２３が配設され、中空状脚２１a、２１b内壁とで照明具収納部を形成してある。
図中２７は照明具収納部内の照明具（蛍光灯）２６に給電するコードを挿通するための配線孔であり、２８は照明具収納部内に発生する熱を放熱するための熱抜き孔である。
また、中空状脚２１と板状脚２２の底部には、移動を容易にするためのキャスター２４が取り付けられてある。
【００１３】
脚部の外面および内面の内方端部には、左右一対の中空脚２１a、２１bを接続するための接続具２５が設けられている。
なお、図３(a)には外側の接続具２５だけに用いた例を示しているが、内側にも設けると接続が確実になる。
また、接続具としては、バックルの様にワンタッチ操作で接続できるものが好ましい。
【００１４】
上記のとおり構成した天板部１０と脚部２０は次の手順により組み立ててテーブルユニットを構成する。
（１）左右一対の中空状脚２１a、２１bを側面同士を突き合わせ接続金具２５により接続一体化し脚部２０を組み立てる。
（２）天板部１０の一部を脚部２０上に載置（図４(a)）し、天板部１０を脚部２０上を黒塗り矢印方向（図面右から左）にスライドさせると、天板の下面に設けた位置決め用凸条１５が脚部２０の上端周縁の内側に嵌り両者が結合（図４(b)）される。この時の天板部１０と脚部２０の結合部の構成は、図５に示すとおりである。
【００１５】
上記構成のテーブルユニットの複数を、図６(a)〜(c)に示すように並べることにより所望の大きさのテーブルを得ることができる。
例示した配列を採用すると、中央部に空所が形成できるので飾り用にテーブルを配置し、花卉類を飾ることができる。
【００１６】
上記例では、テーブルユニットを配置したものを説明したが、テーブルユニット間に、テーブルユニット相互を固定する手段や、相互の間隔を一定に保つ間隔保持手段を付設することもできる。  
【図面の簡単な説明】
【００１７】
【図１】天板部の説明図である。
【図２】脚部の説明図である。
【図３】脚部の組立状態図である。
【図４】天板部と脚部の組立方法説明図である。
【図５】組立後の天板部と脚部の関係説明図である。
【図６】使用状態説明図である。
【符号の説明】
【００１８】
１０  天板部
１１  天板片
１２  内縁
１３  外縁
１４  開口
１５  位置決め用凸条
１６  蝶番
１７  透明板（ガラス板）
２０  脚部
２１  中空状脚
２２  板状脚
２３  照明具取付板
２４  キャスター  
２５  接続具
２６  照明具
２７  配線孔
２８  熱抜き孔
【図１】
0003103491.tif 000003
【図２】
0003103491.tif 000004
【図３】
0003103491.tif 000005
【図４】
0003103491.tif 000006
【図５】
0003103491.tif 000007
【図６】
0003103491.tif 000008